(57)【要約】【課題】  セキュリティボックスを安全かつ確実に配送できる配送システムを提供することである。【解決手段】  暗証番号で施錠あるいは解錠するセキュリティボックス１と、配送依頼者側端末３と、受取人側端末４と、これら両端末３，４からアクセス可能にしたセンターサーバーＳとを備え、センターサーバーＳは、セキュリティボックス１の上記暗証番号およびパスワードを、配送依頼主側端末３から受信したとき、その暗証番号を自動的に暗号化する機能と、この暗号に対応したパスワードを作成する機能と、これらパスワードと暗号とが受取人側端末４から入力されたとき、予め記憶している暗号とパスワードの対応付けが一致しているかどうかを判定する機能と、暗号とパスワードの対応づけが一致にしていると判定したとき、上記暗号を複合化するとともに、複合化した暗証番号を受取人側端末４に送信する機能とを備えた点に特徴を有する。【選択図】  図１
2006134211.tif 000002
【特許請求の範囲】
【請求項１】
暗証番号で施錠あるいは解錠するセキュリティボックスと、配送依頼者側端末と、受取人側端末と、これら両端末からアクセス可能にしたセンターサーバーとを備え、センターサーバーは、セキュリティボックスの上記暗証番号およびパスワードを、配送依頼主側端末から受信したとき、その暗証番号を自動的に暗号化する機能と、この暗号に対応したパスワードを作成する機能と、これらパスワードと暗号とが受取人側端末から入力されたとき、予め記憶している暗号とパスワードの対応付けが一致しているかどうかを判定する機能と、暗号とパスワードの対応づけが一致にしていると判定したとき、上記暗号を複合化するとともに、複合化した暗証番号を受取人側端末に送信する機能と、を備えた配送システム。
【発明の詳細な説明】
【技術分野】
【０００１】
この発明は、セキュリティボックスを安全かつ確実に配送する配送システムに関する。
【背景技術】
【０００２】
一般に、セキュリティボックスを安全に配送するためには、そのセキュリティボックスを施錠した状態で配送しなければならないし、届け先ではそれを解錠できなければならない。そのために従来は、セキュリティボックスとキーとを同時配送するか、あるいは配送者が仲介して解錠用の暗証番号を届け先に知らせるか、いずれかの方法しかなかった。
なお、本願発明に関して特に文献調査はしていない。
【発明の開示】
【発明が解決しようとする課題】
【０００３】
上記のようにセキュリティボックスとキーとを同時配送する場合には、配送途中でキーを紛失してしまう危険もあるし、配送業者がそのキーを利用して勝手に解錠することも考えられる。このようなことから、セキュリティボックスとキーとを同時配送するシステムは、絶対的な信頼性を得られないという問題があった。
また、配送者が仲介して解錠用の暗証番号を届け先に知らせるのは、それこそ配送者に対する信頼性が問題になる。
いずれにしても従来のシステムでは、セキュリティボックスを安全かつ確実に配送できるシステムはなかった。
この発明の目的は、セキュリティボックスを安全かつ確実に配送できる配送システムを提供することである。
【課題を解決するための手段】
【０００４】
この発明は、暗証番号で施錠あるいは解錠するセキュリティボックスと、配送依頼者側端末と、受取人側端末と、これら両端末からアクセス可能にしたセンターサーバーとを備えている。そして、センターサーバーは、セキュリティボックスの上記暗証番号およびパスワードを、配送依頼主側端末から受信したとき、その暗証番号を自動的に暗号化する機能と、この暗号に対応したパスワードを作成する機能と、これらパスワードと暗号とが受取人側端末から入力されたとき、予め記憶している暗号とパスワードの対応付けが一致しているかどうかを判定する機能と、暗号とパスワードの対応づけが一致にしていると判定したとき、上記暗号を複合化するとともに、複合化した暗証番号を受取人側端末に送信する機能とを備えた点に特徴を有する。
【発明の効果】
【０００５】
この発明によれば、セキュリティボックスを施錠するための暗証番号が、配送過程で表面化しないので、セキュリティボックスを安全かつ確実に配送できる。また、当然のことであるが、暗証番号をセキュリティボックスと同時配送しなくてもよいので、その安全性はさらに高められる。
【発明を実施するための最良の形態】
【０００６】
図示の実施形態は、配送業者を中心にしてセキュリティボックスを配送するシステムである。まず、配送業者側に配置したセンターサーバーＳは、ユーザー端末である配送依頼者側端末３および受取人側端末４とメールによるアクセスができるようにしている。そして、このセンターサーバーＳには、例えば、４桁の暗唱番号が入力されたとき、それを自動的に暗号化する機能と、それを複合化する機能とを備えている。ただし、その暗号化の機能および複合化の機能は、従来公知のコンピュータソフトをそのまま用いたものである。
【０００７】
また、上記センターサーバーＳは、暗号化された暗号を記憶部に記憶するが、その暗号が複合化されたときには、その暗号が記憶部から消去されるようにしている。言い換えると、暗号は一回ごとに変更され、一つの暗号が継続使用されたり、あるいはいくつもの暗号が同時に使われたりしないようにしている。さらに、このセンターサーバーＳは、上記のように４桁の暗証番号が入力されたとき、それに対応づけたパスワードを記憶部に記憶する。そして、この記憶部に記憶されたパスワードと暗号とが、センターサーバーＳに入力されたとき、センターサーバーＳは、上記暗号を自動的に複合化する機能を備えている。
【０００８】
今、例えば、配送業者に配送依頼者から電話などで配送依頼があったときには、配送業者の方でまず受付ナンバーを配送依頼者に伝える。このように受付ナンバーを配送依頼者に伝えたら、配送業者は自身が管理するセキュリティボックス１を配送依頼者のもとに持参する。このセキュリティボックス１は、その表面にテンキー２を設け、このテンキー２に入力する例えば４桁の暗証番号で、解錠あるいは施錠ができるようにしている。ただし、その４桁の暗証番号は、その都度利用者が自由に決められるもので、予め特定されているものではない。
【０００９】
そして、配送依頼者は、上記セキュリティボックス１に配送依頼品である目的物を納めたら、配送依頼者が自ら決めた４桁の暗証番号をテンキー２に入力して、このセキュリティボックス１を施錠する。
【００１０】
配送依頼者が上記のようにセキュリティボックス１に目的物を納めて施錠したら、配送依頼者はその時点で、自らの配送依頼者側端末３を利用してセンターサーバーＳに上記受付ナンバーと暗証番号とをメールする。そのメールを受け取った配送業者が管理するセンターサーバーＳは、配送依頼者の受付ナンバーかを確認し、その正規の受付ナンバーとそれに対応する施解錠用の暗証番号とを記憶する。このように受付ナンバーと暗証番号とが入力されると、センターサーバーＳは、上記暗証番号を自動的に暗号化するとともに、それに対応したパスワードを作成し、その暗号とパスワードとを配送依頼者側端末３に自動的にメールで返信する。
【００１１】
自らの端末３にパスワードと暗号が返信されたら、配送依頼者は受取人側の端末４に、上記暗号をメールで予め送信しておく。また、配送業者は、セキュリティボックス１にパスワードを搭載した状態で、このボックス１を受取人に配送する。なお、パスワードとセキュリティボックス１との対応付けは、そのボックス１に伝票を添付してもよいし、配送業者が持参する伝票に表示しておいてもよい。ただし、ここでは、上記暗号がセキュリティボックス１に表示されないことは当然である。言い換えると、上記暗号は、物を直接配送する配送係の目には、いっさい触れないようにしている。
【００１２】
上記のようにして配送されたセキュリティボックス１を受け取った受取人は、配送依頼者から予めメールで伝えられていた暗号とセキュリティボックス１に搭載されたパスワードとをペアにして、それら両者をセンターサーバーＳに送信する。センターサーバーＳは、その記憶部に記憶されているパスワードと暗号とが対応するかどうかを判定するとともに、それが対応すると判定されたら、その暗号を複合化して、施解錠用の４桁の暗証番号を、受取人側端末４に自動的に送信する。
【００１３】
受取人側端末４で解錠用の暗証番号を受け取った受取人はその暗証番号をセキュリティボックス１のテンキー２を用いて入力すれば、それを解錠することができる。
【００１４】
上記の配送プロセスで、施解錠用の暗証番号は、配送依頼者が自ら施錠するとき以外、いっさい表面化しない。表面に出てくるのは、センターサーバーＳが自動的に暗号化した暗号だけである。したがって、セキュリティボックス１の配送過程で、そのボックス１が不用意に解錠されるようなことはいっさいない。したがって、秘密を要する書類や物を安全に配送することができる。
【００１５】
なお、上記実施形態におけるパスワードは、配送依頼者の電話番号でもよいし、配送依頼者側端末のアドレス、あるいは受取人側端末のアドレスでもよく、要するに個性化された物ならどのようなものでも用いることができる。
【図面の簡単な説明】
【００１６】
【図１】この発明の実施形態のシステム図である。
【図２】セキュリティボックスの平面図である。
【符号の説明】
【００１７】
Ｓ      センターサーバー
１      セキュリティボックス
３      配送依頼者側端末
４      受取人側端末
【図１】
2006134211.tif 000003
【図２】
2006134211.tif 000004